(57)【要約】【課題】  本発明は、設置に際して占有面積が小さく、使用時には掴みやすく、且つ対象を打撃しやすい打棒を提供することを目的とする。【解決手段】  棒状の把持部２と、該把持部２の基端に備える膨大状の打撃部１と、からなり、該打撃部１を下方にして安定直立することを特徴とする打棒。【選択図】      図１
2006167442.tif 000002
【特許請求の範囲】
【請求項１】
棒状の把持部（２）と、該把持部（２）の基端に備える膨大状の打撃部（１）と、からなり、該打撃部（１）を下方にして安定直立することを特徴とする打棒。
【請求項２】
前記打撃部（１）の一部、又は全部が前記把持部（２）と比して比重の大きな材質で構成されることを特徴とする請求項１記載の打棒。
【請求項３】
前記打撃部（１）の底部が凸形曲面状に形成されることを特徴とする請求項１又は２記載の打棒。
【請求項４】
前記打撃部（１）の底部中央に水平面を有することを特徴とする請求項３記載の打棒。
【請求項５】
前記把持部（２）の先端に前記把持部（２）より直径の大なるつまみ部（３）を有することを特徴とする前記１、２、３又は４記載の打棒。
【発明の詳細な説明】
【技術分野】
【０００１】
本発明は、仏りんや楽器を打ち鳴らすための打棒に関するものである。
【背景技術】
【０００２】
仏りんや楽器を打ち鳴らすための打棒は、仏りんの場合はりん棒、木琴や鉄琴の場合はマレット、その他ばちなどと呼ばれるものである。これらは形状が棒状であるため置き場所を確保するために様々な工夫がされてきた。例えば仏りんに使用するりん棒に関しては、文献１及び２のような仏りんに取り付けるりん棒置きが提案されている。また文献３においては、把持部端に基部台座を有し、打撃部を上に向けて安定直立するスタンド型りん棒が提案されており、狭い場所にも効率的に収納することができる。
【特許文献１】特開平７−２５０７５３号公報
【特許文献２】実開平７−７５７８号公報
【特許文献３】特許第３０１２８７２号公報
【発明の開示】
【発明が解決しようとする課題】
【０００３】
しかしながら、前記りん棒置きを使用する場合、りん棒を水平に寝かせて設置することになり、占有面積が大きいという欠点があった。また、前記スタンド型りん棒については、打撃部が上を向いているため把持部を掴みづらく、特に狭い場所におかれている場合には、最初に打撃部を掴んでから把持部を掴み直す必要があった。さらに、打撃部から運動エネルギーを対象の仏りん等に与えて大きな音を出す構成上、打撃部の質量はある程度大きい方が望ましいが、打撃部の質量を大きくすると、縦置姿勢での安定性が悪くなるという問題があった。
【０００４】
本発明は、設置に際して占有面積が小さく、使用時には掴みやすく、且つ対象を打撃しやすい打棒を提供することを目的とする。
【課題を解決するための手段】
【０００５】
本発明のうち請求項１記載の発明は、棒状の把持部と、該把持部の基端に備える膨大状の打撃部と、からなり、前記打撃部を下方にして安定直立することを特徴とする。
【０００６】
さらに請求項２記載の発明のように、前記打撃部の一部、又は全部を前記把持部と比して比重の大きな材質で構成することで、より直立時の安定性が高められる。なお、打撃部の一部が比重の大きな材質で構成される場合は、その部分はより打棒の底部に近い位置である方が望ましい。
【０００７】
また、打撃部の底部形状は、打棒が直立するものであればどのような形状でも構わないが、請求項３記載の発明のように、打撃部の底部を凸形曲面状に形成すると、起き上がりこぼしのように揺動しながら直立する効果が得られる。
【０００８】
さらに、請求項４記載の発明のように、凸形曲面状に形成した打撃部の底部中央に水平面を設けると、揺動を早く収束させ、確実に垂直位置で静止させることができる。
【０００９】
請求項５記載の発明のように、把持部の先端に把持部より直径の大なるつまみ部を設ける構成としても良い。このように構成すると、つまみに指が掛かり、掴みやすくなる。
【発明の効果】
【００１０】
本発明のうち請求項１記載の発明によれば、打撃部を下にして安定直立することで設置の際の占有面積が小さく、また必然的に把持部が上向きになるので、使用時に掴みやすい。特に対象が小型の仏りん等である場合、直立状態から頂部の把持部端を掴み、そのまま振り子のように打つことができ、非常に取り扱いに優れている上、把持部端は打撃部との距離が最も離れているので、ストロークを大きくして強く打撃することができる。
【００１１】
本発明のうち請求項２記載の発明によれば、打撃部の一部又は全部を把持部と比して比重の大きな材質で構成することで、打棒全体の重心がより下方に位置し、直立時の安定性が高くなる。また、仏りん等を打撃した際、対象に与えるエネルギーは質量に比例することから、打撃部の質量を増やすことでよりエネルギー効率が向上する。さらに、資源効率も向上することから材料を節減できる。
【００１２】
本発明のうち請求項３記載の発明によれば、打撃部の底部を凸形曲面状に形成することで、起き上がりこぼしのように打棒を垂直方向に立てるような復元力が働き、揺動しながら最終的に垂直方向で安定化する作用を得られる。揺動する周期は重心の位置や打撃部の形状により変化させることができる。このように打棒を構成することで、打棒を床面等に置いた際に転倒することがなく、必ず直立させることができる。なお、打棒の重心位置と形状によって、ある程度以上傾斜させた場合には転倒するように設計することも可能であり、この場合は横置姿勢で設置可能である。また逆に、どのような姿勢になっても必ず直立するように設計することも可能である。
【００１３】
本発明のうち請求項４記載の発明によれば、凸形曲面状に形成した打撃部の底部中央に水平面を設けることで、揺動を早く収束させ、確実に垂直位置で静止させることができる。水平面を大きくすれば揺動は早く収束し、小さくすれば長く揺動させられる。
【００１４】
本発明のうち請求項５記載の発明によれば、把持部の先端に把持部よりも直径の大なるつまみ部を設けることで、把持部を掴みやすくなり、また使用中に打棒が手から滑り落ちることを防ぐことができる。
【発明を実施するための最良の形態】
【００１５】
本発明の打棒のうち、仏りんを打ち鳴らすりん棒の具体的な構成について、各図面に基づいて説明する。
【００１６】
本りん棒は、図１及び図２に示すように、棒状の把持部２と、該把持部２の基端に備える膨大状の打撃部１と、からなり、打撃部１を下方にして安定直立するように、膨大状の打撃部１の一部は重量物１１にて構成され、また底部は凸形曲面状に形成され（曲面底部２１）、その曲面底部２１の中央に底部水平面３１を有する。また、把持部２の先端には把持部２より直径の大なるつまみ部３を有する。重量物１１を除く打撃部１と把持部２の素材としては、黒檀等の硬質の木材、樹脂、軽量金属等が好適であるが、それらに限定されるものではない。また、重量物１１の素材としては、真鍮等の金属が好適であるが、これも限定されるものではなく、りん棒全体に比して比重が大きければ良い。なお、打撃部１と把持部２とは一体成型であっても良いし、別部材を接合するものであっても良い。また、打撃部１と重量物１１とは木ネジ４１によって接合されるが、この接合方法はその他自由に選択できる。さらに、把持部２をより掴みやすくするために、把持部２の一部の直径を細く形成しても良い。
【００１７】
図３は本発明のりん棒の第２実施形態を示す。本りん棒は球形の打撃部１を有し、重量物１１をその内部に有する。
【００１８】
図４は本発明のりん棒の第３実施形態を示す。本りん棒においては打撃部１全体が重量物で構成されている。
【００１９】
図５は本発明のりん棒の第４実施形態を示す。本りん棒においては打撃部１の底部に曲面部分がなく、底部水平面３１のみで構成される。このような形状の場合、必ずしも重量物は必要ではなく、りん棒全体を同一の素材で構成することも可能である。
【００２０】
さらに他の実施形態として、打撃部の一部又は全部、あるいは重量物の一部又は全部を磁石で構成し、鉄等の強磁性体からなる敷き台等の上に直立させることも可能である。なお、打撃部あるいは重量物を強磁性体で構成し、敷き台を磁石で構成しても良い。
【００２１】
なお、本実施形態例では、りん棒についての具体的な構成を説明したが、この構成は楽器を打ち鳴らすマレットなどにもそのまま適用できる。
【図面の簡単な説明】
【００２２】
【図１】本発明の打棒を示す正面図である。
【図２】図１の中心軸断面図である。ただし、各部品を分解した状態である。
【図３】本発明の打棒の第２実施形態を示す中心軸断面図である。
【図４】本発明の打棒の第３実施形態を示す中心軸断面図である。
【図５】本発明の打棒の第４実施形態を示す中心軸断面図である。
【符号の説明】
【００２３】
１  打撃部
２  把持部
３  つまみ部
【図１】
2006167442.tif 000003
【図２】
2006167442.tif 000004
【図３】
2006167442.tif 000005
【図４】
2006167442.tif 000006
【図５】
2006167442.tif 000007